(57)【要約】【課題】  パーティその他の宴場において出席者に配布される席次表は、近時ますます華やかなものとなりつつあるが、元来が宴終了の後は不要となるものであるので主催者としてはここに大きなコストを掛けにくく、現実には見た目だけが豪華で実は高級なものではないものがほとんどであった。【解決手段】  カード類をその半分以上差し込むカード入れ部を段違いに複数有するカード入れ台紙体と、席次その他の情報が記載された記載体とにより構成されるものであり、該台紙体及び該記載体はいずれも二つ折り、三つ折り又は四つ折りであって、該記載体が該台紙体に折り込まれる形で重ねられている。記載体を取り外せばカード入れとして使用できるわけであるから、引き出物と同等の記念品となり得るので、コストを掛けるについての障害が少ない。【選択図】        図１
2005297204.tif 000002
【特許請求の範囲】
【請求項１】
カード類をその半分以上差し込むカード入れ部を段違いに複数有するカード入れ台紙体と、席次その他の情報が記載された記載体とにより構成されるものであり、該台紙体及び該記載体はいずれも二つ折り、三つ折り又は四つ折りであって、該記載体が該台紙体に折り込まれる形で重ねられているものであることを特徴とする席次表。
【発明の詳細な説明】
【技術分野】
【０００１】
本発明は、結婚披露宴その他のパーティ等において出席者に配布される新規な席次表の構造に関するものである。
【背景技術】
【０００２】
例えばホテル等で催される結婚披露宴において、ここに出席する者が、宴場に配置されている複数のテーブルそれぞれにセッティングされている多数のイスの中のどれに着座すれば良いのかが記載された案内図が席次表である。
【０００３】
この席次表は確かに「自分が腰掛けるイスはどこにあるのか」を知るためのものであるが、新郎関係者と新婦関係者とが一堂に会するという結婚披露の性格上、個々の出席者にとって通常、全体の半分は初めて目にする人たちである。その時この席次表は便利なものとなる。即ち、着席している不知の人が誰であるのかを教えてくれるものでもある。こうしたことから席次表というものが次第に重要視され、他の機能も具備するようになっている。例えば、新郎新婦からのメッセージを記載したもの、彼らの写真やプロフィールを添えてあるもの、その日出される料理の詳細を記載したもの、等々である。このようにして席次表は、披露宴そのものを円滑に進行させる重要な小道具となり、装丁の凝らされた豪華なものなども多く目にするようになってきている。
【特許文献１】登録実用新案公報第３０５３３８３号
【発明の開示】
【発明が解決しようとする課題】
【０００４】
こうして豪華になり、披露宴自体の記念という意味でも相応しい品となっている席次表であるが一方で、披露宴出席者が記載されているもの、新郎新婦のメッセージが記載されたもの、等々であるところの席次表を残しておくことに重要な意味を認めない出席者も確かに存在する。当然そのような出席者にとって席次表は、豪華でありコストも掛かっているのにもかかわらず、廃棄すべきゴミでしかなくなっている。
【課題を解決するための手段】
【０００５】
そこで本発明者は、こうした点に鑑み鋭意研究の結果遂に本発明を成したものでありその特徴とするところは、カード類をその半分以上差し込むカード入れ部を段違いに複数有するカード入れ台紙体と、席次その他の情報が記載された記載体とにより構成されるものであり、該台紙体及び該記載体はいずれも二つ折り、三つ折り又は四つ折りであって、該記載体が該台紙体に折り込まれる形で重ねられている点にある。
【０００６】
ここで「台紙体」は、カード類をその半分以上差し込むカード入れ部を段違いに複数有するものであり、二つ折り、三つ折り又は四つ折りになっている。この構造は、従来の段違い収納タイプの「カード入れ」、或いはそうしたカード入れ部を有する財布と同等のもので良く、本発明席次表においてもこの台紙体部分はカード入れ又は財布として利用されることが前提となっている。カード類とは、キャッシュカードや定期券といったカードそのもの以外に、預金通帳やページ数の少ないアドレス帳等を収納できるようにしておいても良い。このカード類を収納するために台紙には「カード入れ部」が設けられている。カード入れ部の構造については限定するものではないが、複数が段違いに配置されており、個々のカード入れ部にカード類を差し込んだ場合も各カード類は一部は露出し、取り出し容易、且つ取り出そうとするカード類が探しやすいように構成されている。
【０００７】
台紙体の材質については特に限定するものではないが、皮革（人工又は天然）、ベルベット、プラスチックなどが好ましい。またこの台紙体自体は、席次表本来の目的である座席図等の各種情報記載のある「記載体」を支持・装飾するための部材である。従って台紙本体側については、何かしらの記載を設けなければならない必然性はない。しかし、例えば披露宴を催したホテル名等を印刷しておくと、これはカード入れとしてその後長く使用されるわけであるから当該ホテルにとってみると斬新な広告媒体となると解釈できるし、そうであれば本席次表のコストの一部を広告費ということ当該ホテルが負担しても良いことになり、結果低コストなものともなり得る。また主催者（例えば新郎新婦側）にとってみても、何らその催し（例えば披露宴）があったことが記載として残されていないカード入れよりも、ホテル名なりとも記されているカード入れを使用してもらった方が記念品としての意味を見出しやすいので好適である。なおこれをカード入れとして使用する出席者にとっては、記載されるホテル名等のロゴや印刷方法等の体裁が悪ければ使いづらいので、留意することが望まれる。
【０００８】
またこの台紙体は、記載体を係止するための手段を有していても良い。従来の席次表においても、席次その他の記載のある紙を台紙に挟み込んだものがあるがその際、紙も台紙も二つ折りでこれを折り目で周回する紐でまとめたものがある。この時用いる紐と同様のものを本発明席次表の台紙体が有していても良い。或いは、挟持金具等を用いて記載体を台紙体に係止するようにしても良い。
【０００９】
記載体は、１枚又は複数枚の紙でありここに、「席次」「メッセージ」「料理メニュー」などが記載される。記載内容は、「席次」に関しては必須であるが、他は限定しない。また記載体は、通常は二つ折りとなっているが、台紙体に合わせるようにし三つ折り又は四つ折りとしても良い。
【発明の効果】
【００１０】
本発明に係る席次表は、以下述べる如き効果を有する極めて高度な発明である。
【００１１】
（１）  席次表として使用した後は、カード入れという記念品として利用できる。
（２）  再利用することを前提に作成するものであるから、これまでの使い捨ての席次表では考えられないような高級な材質を用いることが可能である。
【発明を実施するための最良の形態】
【００１２】
以下図面に基づき本発明を更に詳細に説明する。
【実施例１】
【００１３】
図１は、本発明に係る席次表１（以下「本発明席次表１」という）の一例を示す概略分解斜視図であり、図より明らかなように本例の本発明席次表１は、見開き式となっている台紙体２と、この台紙体２より一回り小さい面積で同じく見開き式となっている記載体３とにより構成されるものである。両者は接着その他が成されていない全く別体であり、台紙体１の谷折れ稜部に沿って架け渡されるバインド紐４に記載体３を通すことで一体化を図るものである。
【００１４】
記載体３には、各テーブル３１の位置と名前、座席３２が図示され、図示されている各座席には氏名３３が記載されている。また、図示はしないが、出席者と新郎新婦との関係（例えば「新郎伯父」「新婦友人」）、或いは出席者の役職等（例えば「元○○小学校校長」「○○株式会社常務取締役」）も併せて記載されている。
【００１５】
台紙体２は、天然皮革製外皮、人工皮革製内張、プラスチックシートなどを組み合わせて製作したものであり、基本的には市販されている見開き型のカード入れと構造上の差異はない。本例では、見開きした際の左側には１２枚のカード（クレジットカードやテレホンカード等のカード）が収納できるように１２個のポケット２１が設けられており、右側には健康保険証や預金通帳等を収納するための４個のポケット２２が設けられている。
なお図示は省略するが、皮革の代わりにベルベットなどの高級生地を用いて台紙体２表面を構成するようにしても良い。また台紙体２の表層材料に生地を用いる場合には特に、カード入れとしての剛性が不足しがちであるので、芯材として厚紙やプラスチックシートを内包させるようにしても良い。
【００１６】
次に図２は、本発明の他の例を示すものであり、台紙体２と記載体３とを連結する手段としてバインド紐４の代わりに、ヘアピン状の挟持具５を用いている。本例では鋼線を材料としているが、プラスチック製のものでも使用可能である。また本例では挟持具５は、台紙体２内部に一部（図中破線で示した部分）挿入される形で固着されているが、台紙体２とは別体としても良い（図示せず）。
【００１７】
ここまで結婚披露宴において出席者に配布される席次表を例に本発明を説明してきたが本発明はこれに限定されるものではなく、出版・当選・褒章受章等を記念するパーティ、喜寿・米寿など長寿を祝うパーティ、等々を含むものとする。
【図面の簡単な説明】
【００１８】
【図１】本発明に係る席次表の一例を示す概略分解斜視図である。
【図２】本発明に係る席次表の他の一例を示す概略斜視図である。
【符号の説明】
【００１９】
１    本発明に係る席次表
２    台紙体
２１  ポケット
２２  ポケット
３    記載体
３１  テーブル
３２  座席
３３  氏名
４    バインド紐
５    挟持具
【図１】
2005297204.tif 000003
【図２】
2005297204.tif 000004